(57)【特許請求の範囲】
【請求項１】
ネットワークで接続された上位ホストとＨＴＴＰサーバとプリンタ装置とを備え、前記上位ホストは、ジョブデータと部数指定情報とを含む印刷ジョブを作成し、前記ジョブデータを前記ＨＴＴＰサーバに転送し、前記部数指定情報と前記ＨＴＴＰサーバに保存した前記ジョブデータのＵＲＩとをＩＰＰ通信を使用して前記プリンタ装置に通知する手段を有し、前記プリンタ装置は、前記上位ホストとのＩＰＰ通信を制御するＩＰＰ部と、通知されたＵＲＩに従ってジョブデータを前記ＨＴＴＰサーバより取り出すＨＴＴＰクライアントと、前記ＩＰＰ部及び前記ＨＴＴＰクライアントとの通信制御を行うインターフェース制御部と、前記上位ホストからＩＰＰ通信で通知されるＵＲＩ情報と部数指定情報とを管理するネットワークジョブ管理部と、ジョブデータを解析して編集する編集部と、編集されたジョブデータを画像データに変換して印刷を行う印刷処理部と、前記画像データの保存を行う保存部と、前記プリンタ装置内のジョブデータの状態管理を行うプリンタジョブ管理部とを有し、前記ネットワークジョブ管理部は、前記上位ホストから送られる部数指定情報と前記プリンタ装置内のジョブデータ保存可能状況とから必要部数を判断し、前記ＨＴＴＰクライアントは、前記ネットワークジョブ管理部で判断された必要部数分のジョブデータを前記上位ホストから通知されたＵＲＩに従って前記ＨＴＴＰサーバから取り出し、前記印刷処理部は、前記上位ホストから指定された部数分の印刷を行うことを特徴とするネットワークにおける部数指定印刷システム。
【請求項２】
前記保存部で前記画像データの保存に失敗した場合、前記ネットワークジョブ管理部が残りの必要部数を判断し、前記ＨＴＴＰクライアントが前記ネットワークジョブ管理部で再度判断された必要部数分のジョブデータを前記上位ホストから指定されたＵＲＩに従って前記ＨＴＴＰサーバより取り出し、前記印刷処理部で印刷を行うことを特徴とする請求項１記載のネットワークにおける部数指定印刷システム。
【請求項３】
前記上位ホストは、前記プリンタ装置にジョブデータの保存要求を通知する手段を有することを特徴とする請求項１または２記載のネットワークにおける部数指定印刷システム。
【請求項４】
前記ネットワークジョブ管理部は、前記上位ホストからジョブデータの保存要求を通知されたときは前記必要部数を１部であると判断し、前記上位ホストからジョブデータの保存要求を通知されないときは前記上位ホストから通知された部数が前記必要部数であると判断することを特徴とする請求項３記載のネットワークにおける部数指定印刷システム。
【請求項５】
前記上位ホストは、前記プリンタ装置にジョブソートの実行指示を通知する手段を含むことを特徴とする請求項１、２または３記載のネットワークにおける部数指定印刷システム。
【請求項６】
前記ネットワークジョブ管理部は、前記上位ホストからジョブソートの実行指示を通知された場合、前記上位ホストからジョブデータの保存要求を通知されたときは前記必要部数を２部であると判断し、前記上位ホストからジョブデータの保存要求を通知されないときは前記上位ホストから通知された部数が前記必要部数であると判断することを特徴とする請求項５記載のネットワークにおける部数指定印刷システム。
【請求項７】
上位ホストは、ジョブデータと部数指定情報とを含む印刷ジョブを作成し、前記ジョブデータをＨＴＴＰサーバに転送し、前記部数指定情報と前記ＨＴＴＰサーバに保存した前記ジョブデータのＵＲＩとをＩＰＰ通信を使用してプリンタ装置に通知し、前記プリンタ装置は、前記上位ホストから送られる部数指定情報と前記プリンタ装置内のジョブデータ保存可能状況とから必要部数を判断し、判断された必要部数分のジョブデータを前記上位ホストから通知されたＵＲＩに従って前記ＨＴＴＰサーバから取り出し、前記上位ホストから指定された部数分の印刷を行うことを特徴とするネットワークにおける部数指定印刷方法。
【請求項８】
上位ホストとＨＴＴＰサーバとにネットワークで接続されるプリンタ装置であって、前記上位ホストとのＩＰＰ通信を制御するＩＰＰ部と、前記上位ホストから通知されたＵＲＩに従ってジョブデータを前記ＨＴＴＰサーバより取り出すＨＴＴＰクライアントと、前記ＩＰＰ部及び前記ＨＴＴＰクライアントとの通信制御を行うインターフェース制御部と、前記上位ホストからＩＰＰ通信で通知されるＵＲＩ情報と部数指定情報とを管理するネットワークジョブ管理部と、ジョブデータを解析して編集する編集部と、編集されたジョブデータを画像データに変換して印刷を行う印刷処理部と、前記画像データの保存を行う保存部と、自装置内のジョブデータの状態管理を行うプリンタジョブ管理部とを有し、前記ネットワークジョブ管理部は、前記上位ホストから送られる部数指定情報と自装置内のジョブデータ保存可能状況とから必要部数を判断し、前記ＨＴＴＰクライアントは、前記ネットワークジョブ管理部で判断された必要部数分のジョブデータを前記上位ホストから通知されたＵＲＩに従って前記ＨＴＴＰサーバから取り出し、前記印刷処理部は、前記上位ホストから指定された部数分の印刷を行うことを特徴とするプリンタ装置。
【発明の詳細な説明】
【０００１】
【発明の属する技術分野】
本発明は、ネットワークにおける部数指定印刷システムおよび方法に関し、特に上位ホストがプリンタ装置に対して印刷部数の指定を行う、ネットワークにおける部数指定印刷システムおよび方法に関する。
【０００２】
【従来の技術】
従来の技術では、部数指定による印刷を行う場合、上位ホストが必要な部数分の印刷データを作成してプリンタ装置にデータを送り、プリンタ装置は受け取ったデータをそのまま印刷することで、指定分の部数印刷を行っていた。
【０００３】
また、プリンタ装置にハードディスクやメモリを使用した印刷データの保存機能がある場合、上位ホストは１部のみの印刷データと指定された部数情報をプリンタ装置に転送し、プリンタ装置は送られた印刷データを印刷しながら、印刷データをハードデスク、メモリ等に保存し、２部目以降はプリンタ装置内に保存した印刷データを使用して、指定分の部数印刷を行っていた。しかし、プリンタ装置で保存しきれない印刷データが送られた場合、プリンタ装置での保存ができないため、結局上位ホストが必要な部数分の印刷データを再転送していた。
【０００４】
特開平８−２２１２２７号公報で提示されている技術では、印刷要求を行う上位ホスト以外に、ネットワーク上のプリンタのキューを管理するファイルサーバと、キューの印刷データをプリンタに渡すプリンタサーバを用意することで、上位ホストから再度印刷データを転送しなくても、同じデータを印刷することを可能にしている。
【０００５】
しかし、特開平８−２２１２２７号公報で示される技術では、再印刷を行う場合にその都度上位ホストが印刷を行うデータの指定の指示を出す必要あるため、部数指定印刷の場合、ファイルサーバにキューイングした印刷データを使用して部数分プリンタ装置に転送しようとすると、部数分の指示を上位ホストが行わなければならない。また１回の指示で部数印刷を行う場合には、予め部数分の印刷データを作成してプリンタ装置にデータを送らなければならなくなり、ホストの負担を減らすことはできない。また、プリンタ装置に保存機能がある場合、保存に失敗したかどうかをファイルサーバでは判断できないため、上位ホストがプリンタ装置の保存の成功・失敗を確認して、必要部数をファイルサーバに指示しなければならない。
【０００６】
【発明が解決しようとする課題】
上述した従来の部数指定印刷システムは、次のような問題点があった。
【０００７】
第１の問題点は、部数指定での印刷の場合、プリンタ装置で印刷データの保存・再印刷の機能がないと、部数分の印刷データを上位ホストが送る必要があり、この間上位ホストの動作を占有してしまうということである。
【０００８】
また、プリンタ装置に印刷データの保存・再印刷の機能があった場合でも、保存領域が足りなくなるような印刷データの場合は、上位ホストが再度データを転送する必要があり、同様に上位ホストの動作を占有してしまう問題があった。
【０００９】
その理由は、部数印刷の場合、上位ホストで必要な部数分の印刷データを用意する必要があったためである。
【００１０】
第２の問題点は、部数指定での印刷で、プリンタ装置での印刷データ保存に失敗した場合、印刷スピードが遅くなるということである。
【００１１】
その理由は、プリンタ装置での保存の成功・失敗を上位ホストが認識しなければならないためであり、またプリンタ装置で保存が失敗したことを上位ホストが認識した後、再度上位ホストが必要な印刷データの作成・データ転送を行っているためである。
【００１２】
第３の問題点は、上位ホストからプリンタ装置に送る印刷データをファイルサーバに保存して、その保存データを利用して再印刷を行う印刷システムを利用して、部数指定印刷を行った場合、再印刷する印刷データに対して部数分の印刷指示を出す必要があり、また１回の指示で部数分の印刷を行うためには、上位ホストが部数分の印刷データを作成してそのデータをファイルサーバ、プリンタ装置に送ることになり、上位ホストの負担が大きいということである。
【００１３】
その理由は、再印刷を行う場合、上位ホストがファイルサーバに保存されている印刷データを指定しなければ、再印刷行うことができなかったためである。
【００１４】
本発明の目的は、ネットワークでの部数指定印刷の場合、印刷データを作成する上位ホストの負担を低減し、印刷性能を向上する部数指定印刷システムを提供することにある。
【００１５】
本発明の他の目的は、ネットワークでの部数指定印刷でプリンタ装置に印刷データの保存機能がある場合、保存の成功・失敗を上位ホストが認識することなく、リカバリを可能にする部数指定印刷システムを提供することにある。
【００１６】
【課題を解決するための手段】
本発明のネットワークにおける部数指定印刷システムは、ネットワークで接続された上位ホストとＨＴＴＰサーバとプリンタ装置とを備え、前記上位ホストは、ジョブデータと部数指定情報とを含む印刷ジョブを作成し、前記ジョブデータを前記ＨＴＴＰサーバに転送し、前記部数指定情報と前記ＨＴＴＰサーバに保存した前記ジョブデータのＵＲＩとをＩＰＰ通信を使用して前記プリンタ装置に通知する手段を有し、前記プリンタ装置は、前記上位ホストとのＩＰＰ通信を制御するＩＰＰ部と、通知されたＵＲＩに従ってジョブデータを前記ＨＴＴＰサーバより取り出すＨＴＴＰクライアントと、前記ＩＰＰ部及び前記ＨＴＴＰクライアントとの通信制御を行うインターフェース制御部と、前記上位ホストからＩＰＰ通信で通知されるＵＲＩ情報と部数指定情報とを管理するネットワークジョブ管理部と、ジョブデータを解析して編集する編集部と、編集されたジョブデータを画像データに変換して印刷を行う印刷処理部と、前記画像データの保存を行う保存部と、前記プリンタ装置内のジョブデータの状態管理を行うプリンタジョブ管理部とを有し、前記ネットワークジョブ管理部は、前記上位ホストから送られる部数指定情報と前記プリンタ装置内のジョブデータ保存可能状況とから必要部数を判断し、前記ＨＴＴＰクライアントは、前記ネットワークジョブ管理部で判断された必要部数分のジョブデータを前記上位ホストから通知されたＵＲＩに従って前記ＨＴＴＰサーバから取り出し、前記印刷処理部は、前記上位ホストから指定された部数分の印刷を行うことを特徴とする。
【００１７】
本発明のネットワークにおける部数指定印刷システムは、前記保存部で前記画像データの保存に失敗した場合、前記ネットワークジョブ管理部が残りの必要部数を判断し、前記ＨＴＴＰクライアントが前記ネットワークジョブ管理部で再度判断された必要部数分のジョブデータを前記上位ホストから指定されたＵＲＩに従って前記ＨＴＴＰサーバより取り出し、前記印刷処理部で印刷を行うことを特徴としてもよい。
【００１８】
本発明のネットワークにおける部数指定印刷システムは、前記上位ホストは、前記プリンタ装置にジョブデータの保存要求を通知する手段を有することを特徴としてもよい。
【００１９】
本発明のネットワークにおける部数指定印刷システムは、前記ネットワークジョブ管理部は、前記上位ホストからジョブデータの保存要求を通知されたときは前記必要部数を１部であると判断し、前記上位ホストからジョブデータの保存要求を通知されないときは前記上位ホストから通知された部数が前記必要部数であると判断することを特徴としてもよい。
【００２０】
本発明のネットワークにおける部数指定印刷システムは、前記上位ホストは、前記プリンタ装置にジョブソートの実行指示を通知する手段を含むことを特徴としてもよい。
【００２１】
本発明のネットワークにおける部数指定印刷システムは、前記ネットワークジョブ管理部は、前記上位ホストからジョブソートの実行指示を通知された場合、前記上位ホストからジョブデータの保存要求を通知されたときは前記必要部数を２部であると判断し、前記上位ホストからジョブデータの保存要求を通知されないときは前記上位ホストから通知された部数が前記必要部数であると判断することを特徴としてもよい。
【００２２】
本発明のネットワークにおける部数指定印刷方法は、上位ホストは、ジョブデータと部数指定情報とを含む印刷ジョブを作成し、前記ジョブデータをＨＴＴＰサーバに転送し、前記部数指定情報と前記ＨＴＴＰサーバに保存した前記ジョブデータのＵＲＩとをＩＰＰ通信を使用してプリンタ装置に通知し、前記プリンタ装置は、前記上位ホストから送られる部数指定情報と前記プリンタ装置内のジョブデータ保存可能状況とから必要部数を判断し、判断された必要部数分のジョブデータを前記上位ホストから通知されたＵＲＩに従って前記ＨＴＴＰサーバから取り出し、前記上位ホストから指定された部数分の印刷を行うことを特徴とする。
本発明のプリンタ装置は、上位ホストとＨＴＴＰサーバとにネットワークで接続されるプリンタ装置であって、前記上位ホストとのＩＰＰ通信を制御するＩＰＰ部と、前記上位ホストから通知されたＵＲＩに従ってジョブデータを前記ＨＴＴＰサーバより取り出すＨＴＴＰクライアントと、前記ＩＰＰ部及び前記ＨＴＴＰクライアントとの通信制御を行うインターフェース制御部と、前記上位ホストからＩＰＰ通信で通知されるＵＲＩ情報と部数指定情報とを管理するネットワークジョブ管理部と、ジョブデータを解析して編集する編集部と、編集されたジョブデータを画像データに変換して印刷を行う印刷処理部と、前記画像データの保存を行う保存部と、自装置内のジョブデータの状態管理を行うプリンタジョブ管理部とを有し、前記ネットワークジョブ管理部は、前記上位ホストから送られる部数指定情報と自装置内のジョブデータ保存可能状況とから必要部数を判断し、前記ＨＴＴＰクライアントは、前記ネットワークジョブ管理部で判断された必要部数分のジョブデータを前記上位ホストから通知されたＵＲＩに従って前記ＨＴＴＰサーバから取り出し、前記印刷処理部は、前記上位ホストから指定された部数分の印刷を行うことを特徴とする。
【００２３】
【発明の実施の形態】
次に、本発明の実施の形態について図面を参照して詳細に説明する。図１は本発明の第１の実施の形態の構成を示すブロック図である。
【００２４】
図１を参照すると、第１の実施の形態は、ネットワークを介して相互に接続された上位ホスト１とＨＴＴＰ（Ｈｙｐｅｒｔｅｘｔ  Ｔｒａｎｓｆｅｒ  Ｐｒｏｔｏｃｏｌ）サーバ２とプリンタ装置３とから構成される。
【００２５】
上位ホスト１は、プリンタ装置３で印刷するための印刷ジョブを作成する。印刷ジョブは、ジョブ属性情報とジョブデータとを含む。ジョブ属性情報は、部数指定を含み、さらに必要に応じて保存要求を含む。上位ホスト１は、作成したジョブデータをＨＴＴＰサーバ２に格納し、ＨＴＴＰサーバ２に格納したジョブデータのＵＲＩ（Ｕｎｉｆｏｒｍ  Ｒｅｓｏｕｒｃｅ  Ｉｄｅｎｔｉｆｉｅｒ）情報とジョブ属性情報とをプリンタ装置３へ送る。
【００２６】
プリンタ装置３は送られた情報内の部数指定情報と、プリンタ装置３内での印刷データの保存可能・不可能を判断して、ＨＴＴＰサーバ２に格納されているジョブデータの取り出し必要部数を決定する。プリンタ装置３は、指定されたＵＲＩのジョブデータをＨＴＴＰサーバ２より、決定した必要部数分取り出し、印刷を行う。
【００２７】
プリンタ装置３の構成を詳細に説明する。プリンタ装置３は、上位ホスト１とのＩＰＰ（Ｉｎｔｅｒｎｅｔ  Ｐｒｉｎｔｉｎｇ  Ｐｒｏｔｏｃｏｌ）通信を制御するＩＰＰ部５と指定ＵＲＩから必要回数分（必要部数分）の印刷ジョブデータをＨＴＴＰサーバ２より取り出すＨＴＴＰクライアント４とからなるネットワークインターフェース部１２と、ＩＰＰ部５及びＨＴＴＰクライアント４との通信制御を行うインターフェース制御部６と、上位ホスト１からＩＰＰ通信で送られるＵＲＩ情報とジョブ属性情報とを管理するネットワークジョブ管理部７と、ジョブデータを解析して印刷データに編集する編集部８と、編集された印刷データを画像データに変換して印刷を行う印刷処理部１０と、画像データの保存を行う保存部１１と、プリンタ装置３内のジョブデータの状態管理を行うプリンタジョブ管理部９とを含む。
【００２８】
次に図１及び図２を参照して本実施の形態の動作概要について説明する。図２は本実施の形態の動作を示すブロック図である。
【００２９】
最初に上位ホスト１は、ジョブ属性情報とジョブデータとから構成される印刷ジョブを作成し（図２の２１）、この印刷ジョブの情報の内、ジョブデータをＨＴＴＰサーバ２へ転送して、ジョブデータはＨＴＴＰサーバ２に保存される（図２の２４）。次に上位ホスト１は、ＨＴＴＰサーバ２に保存されたジョブデータを示すＵＲＩ情報（図２の２３）と、印刷ジョブの情報内のジョブ属性情報（図２の２２）とを合わせて、ＩＰＰ通信を使用してプリンタ装置３へ、印刷要求として送信する。
【００３０】
プリンタ装置３はネットワークインターフェース部１２内のＩＰＰ部５で印刷要求を受信し、印刷要求情報内のＵＲＩ情報を保存して（図２の２７）、ジョブ属性情報をインターフェース制御部６を経由してネットワークジョブ管理部７へ転送する（図２の２５）。ネットワークジョブ管理部７は転送されたジョブ属性情報（図２の２９）とプリンタ装置３で印刷データの保存が可能かどうかを判断して、必要な部数を決定し（図２の３０）、インターフェース制御部６を経由してネットワークインターフェース部１２へ必要部数分のジョブデータの転送を要求する。ネットワークインターフェース部１２は要求された必要部数分（図２の２６）のジョブデータを、保存してあるジョブデータのＵＲＩ（図２の２７）に従って、ＨＴＴＰサーバ２から取り出し（図２の２８）、インターフェース制御部６を経由して編集部８へ転送する（図２の３１）。編集部８はジョブデータを解析して１ページ単位のページデータ（中間データ）に変換し、印刷処理部１０へページデータを転送して印刷の要求を行う。印刷処理部１０はページデータからイメージデータ（画像データ）に変換して印刷を行い、保存要求がある場合はページデータの保存を保存部１１へ要求する。
【００３１】
保存部１１にてページデータの保存が成功した場合、ネットワークジョブ管理部７からの残りの必要部数に従って、保存部１１から保存してあるページデータを印刷処理部１０へ必要部数分送り、上位ホスト１から要求された分の部数印刷を行う。保存部１１にてページデータの保存に失敗した場合、ネットワークジョブ管理部７は残りの必要部数をネットワークインターフェース部１２へ再度要求し、ネットワークインターフェース部１２は要求された部数分のジョブデータをＨＴＴＰサーバ２から取り出して編集部８へ送り、上位ホスト１から要求された分の部数印刷を行う。
【００３２】
次に具体的な実施例を用いて本実施の形態の詳細動作について図１および図３を用いて説明する。図３は、プリンタ装置３におけるジョブデータの必要部数の決定方法を示す流れ図である。
【００３３】
ネットワークジョブ管理部７は、上位ホスト１から送られるジョブ属性情報より部数指定の要求があるかどうかを確認する（図３のステップＡ１）。部数指定がない場合、必要部数は１部と判断する（図３のステップＡ２）。部数指定がある場合、同じくジョブ属性情報よりジョブデータの保存要求があるかどうかを確認する（図３のステップＡ３）。保存要求がない場合、必要部数は上位ホスト１から要求された部数全てが必要部数と判断する（図３のステップＡ５）。保存要求がある場合、要求された部数印刷はプリンタ装置３で保存したジョブデータを使用するため、必要部数は１部と判断する（図３のステップＡ４）。
【００３４】
次にＨＴＴＰクライアント４はネットワークジョブ管理部７が判断した必要部数分のジョブデータを、上位ホスト１から通知されたジョブデータのＵＲＩに従って、ＨＴＴＰサーバ２から取り出し、編集部８に送って印刷を行う（図３のステップＡ６）。まず最初の１部目が転送されると、保存要求があるかどうかを確認し（図３のステップＡ７）、保存要求がない場合は残りのジョブデータの受信および印刷を実行して要求された部数分の印刷を行う（図３のステップＡ８）。保存要求がある場合は、１部目のジョブデータの印刷を行うと同時にジョブデータの保存を行う（図３のステップＡ９）。保存に成功したかどうかを判断し（図３のステップＡ１０）、保存が成功した場合、保存したジョブデータを使用して、残りの部数（要求された部数−１）の印刷を実行して要求された部数分の印刷を行う（図３のステップＡ１１）。保存に失敗した場合、ネットワークジョブ管理部７は、必要部数を指定部数−１と判断し（図３のステップＡ１２）、ＨＴＴＰクライアント４は再度ＨＴＴＰサーバ２より必要部数分のジョブデータを取り出して、要求された部数分の印刷を印刷処理部１０で行う（図３のステップＡ１３）。
【００３５】
次に、本発明の第２の実施の形態について説明する。第２の実施の形態は、部数毎に、印刷する用紙方向（ポートレート、ランドスケープ）の異なるホッパの用紙で印刷するすることで、排出時に部数毎のソートのできるジョブソート機能を有しているプリンタ装置の場合である。
【００３６】
図４は、第２の実施の形態における、ジョブデータの必要部数の決定方法を示す流れ図である。上位ホスト１からジョブソート要求がない場合または部数指定がない場合は上記で示した図３の動作と同様となる（ステップＢ１、ステップＢ２、ステップＢ３、ステップＢ４）。
【００３７】
上位ホスト１から送られたジョブ属性情報にジョブソートの要求があり、且つ部数指定がある場合で、保存要求がない場合は必要部数は指定部数と同じになる（ステップＢ５、ステップＢ６）。保存要求がある場合、必要部数はポートレート用とランドスケープ用に２部と判断する（ステップＢ５、ステップＢ７）。次に、第１の実施の形態と同様にＨＴＴＰサーバ２よりジョブデータを必要部数分取り出して印刷を行う（ステップＢ８）。
【００３８】
保存要求がない場合、取り出して印刷データを部数毎に用紙方向を変えてジョブソートを行って印刷を行う（ステップＢ９、ステップＢ１０）。保存要求がある場合、２部送られてくるジョブデータをそれぞれポートレート、ランドスケープで印刷し、それぞれの形式でジョブデータの保存を行う（ステップＢ９、ステップＢ１１）。ジョブデータの保存に成功した場合、保存されているポートレート用およびランドスケープ用の２部を使用して残りの指定部数分の印刷を実行してジョブソートを行う（ステップＢ１２、ステップＢ１３）。ジョブデータの保存に失敗した場合、すでに印刷している２部を除いた要求部数を必要部数として、再度ＨＴＴＰサーバ２よりジョブデータを取り出し、送られるデータ毎に同様にポートレート用、ランドスケープ用に交互に印刷してジョブソートを実行する（ステップＢ１２、ステップＢ１４、ステップＢ１５）。
【００３９】
【発明の効果】
以上説明したように、本発明は、上位ホストが用意した１部分のジョブデータをＨＴＴＰサーバに保存して、そのジョブデータをプリンタ装置側から必要な部数分取り出して印刷することが可能になるため、部数指定印刷の場合、上位ホストで必要な部数分のジョブデータを用意する必要がなく、１部分のジョブデータを用意すればよいという効果がある。
【００４０】
また、プリンタ装置で保存が失敗した場合、プリンタ装置内で残りの必要な部数を判断し、再度ＨＴＴＰサーバよりプリンタ装置がジョブデータを取り出すことが可能になるため、プリンタ装置にて、ジョブデータを保存して、部数印刷を高速に行う場合、プリンタ装置で保存に失敗したとき、再度上位ホストが残りの必要な部数分のジョブデータを再度作成してプリンタ装置に送る必要がなくなるという効果がある。
【図面の簡単な説明】
【図１】第１の実施の形態の構成を示すブロック図である。
【図２】第１の実施の形態の動作を示すブロック図である。
【図３】第１の実施の形態の必要部数判断の動作を示す流れ図である。
【図４】第２の実施の形態のジョブソート要求時の必要部数判断の動作を示す流れ図である。
【符号の説明】
１    上位ホスト
２    ＨＴＴＰサーバ
３    プリンタ装置
４    ＨＴＴＰクライアント
５    ＩＰＰ部
６    インターフェース制御部
７    ネットワークジョブ管理部
８    編集部
９    プリンタジョブ管理部
１０    印刷処理部
１１    保存部
１２    ネットワークインターフェース部
【図１】
0003593966.tif 000002
【図２】
0003593966.tif 000003
【図３】
0003593966.tif 000004
【図４】
0003593966.tif 000005